(57)【要約】  【課題】  冷凍食品を入れたまま電子レンジで加熱できるタイプの食品用紙箱において、冷凍食品から出た水が外に漏れないようにする。  【解決手段】  ブランクシート１０は、ボトム部１１と、ボトム部１１の両長辺に連設されたサイド部１２、１３と、サイド部１３のボトム部１１から離れた側の長辺に連設されたトップ部１４と、ボトム部１１の両短辺に連設されたボトムフラップ１５Ｌ、１５Ｒと、サイド部１２、１３の両短辺に連設されたサイドフラップ１６Ｌ、１６Ｒ、１７Ｌ、１７Ｒと、トップ部１４の両短辺に連設されたトップフラップ１８Ｌ、１８Ｒとを備え、このブランクシート１０を起函及びのり付けすることにより食品用紙箱１が形成される。上記ボトムフラップとサイドフラップの間には、これら両フラップの間隙を塞ぎ、且つ縁部がボトム部１１より所定距離隔たったウェブ３０が形成されている。【選択図】      図４
2007099297.tif 000002
【特許請求の範囲】
【請求項１】
ボトム部と、このボトム部の両長辺に連設された２枚のサイド部と、少なくとも一方のサイド部の、前記ボトム部から離れた側の長辺に連設されたトップ部と、前記ボトム部の両短辺に連設されたボトムフラップと、前記サイド部の両短辺に連設されたサイドフラップと、前記トップ部の両短辺に連設されたトップフラップとを備えたブランクシートを起函及びのり付けして形成される食品用紙箱において、
前記ボトムフラップとサイドフラップの間に、これら両フラップの間隙を塞ぎ、且つ縁部が前記ボトム部より所定距離隔たっているウェブを形成したことを特徴とする食品用紙箱。
【請求項２】
前記サイドフラップの縁部のうち、前記ボトムフラップに隣接する側の縁部を後退させてボトムフラップとの間隙を拡大し、この拡大された間隙に前記ウェブを形成したことを特徴とする請求項１に記載の食品用紙箱。
【請求項３】
前記ウェブより上の位置に開封ラインが形成されていることを特徴とする請求項１又は２に記載の食品用紙箱。
【発明の詳細な説明】
【技術分野】
【０００１】
本発明は食品用紙箱、特にそのまま電子レンジに入れて内容物を加熱できるタイプの食品用紙箱に関する。
【背景技術】
【０００２】
市販の冷凍食品の中には、パッケージを紙箱とし、紙箱ごと電子レンジに入れて加熱できるようにしたものがある。そのような目的で用いられる紙箱の例を特許文献１に見ることができる。
【特許文献１】実開平３−１２０４７２号公報（全文明細書第３−４頁、図１−３）
【発明の開示】
【発明が解決しようとする課題】
【０００３】
電子レンジで加熱されたり、あるいは常温で放置されて自然解凍したりすると、冷凍食品から水（食品の成分液であったり、食品表面に付着した霜が解けたものであったりする訳であるが、本明細書では説明の簡単化を図るため、総称として「水」の表現を用いる）が出る。冷凍食品は種類によっては加熱されるとかなりの量の水を出す。冷凍食品のパッケージが紙箱である場合、フラップを折り重ねた箇所の隙間から水が漏れやすい。加熱したての紙箱入り食品を電子レンジから出した直後に水が漏れたりすると、その水は熱湯状態なので非常に危険である。
【０００４】
本発明は上記の点に鑑みてなされたものであり、冷凍食品を入れたまま電子レンジで加熱できるタイプの食品用紙箱において、冷凍食品から出た水が外に漏れない食品用紙箱を提供することを目的とする。
【課題を解決するための手段】
【０００５】
（１）上記目的を達成するために本発明は、ボトム部と、このボトム部の両長辺に連設された２枚のサイド部と、少なくとも一方のサイド部の、前記ボトム部から離れた側の長辺に連設されたトップ部と、前記ボトム部の両短辺に連設されたボトムフラップと、前記サイド部の両短辺に連設されたサイドフラップと、前記トップ部の両短辺に連設されたトップフラップとを備えたブランクシートを起函及びのり付けして形成される食品用紙箱において、前記ボトムフラップとサイドフラップの間に、これら両フラップの間隙を塞ぎ、且つ縁部が前記ボトム部より所定距離隔たっているウェブを形成したことを特徴としている。
【０００６】
この構成によると、通常であれば隙間となるべきボトムフラップとサイドフラップの間がウェブで塞がれ、このウェブのボトム部からの立ち上がりの高さ分の水漏れ防止障壁が形成されるから、内容物から水が出たとしてもそれを外部に漏らすことなく紙箱内部に留めることができる。
【０００７】
（２）また本発明は、上記構成の食品用紙箱において、前記サイドフラップの縁部のうち、前記ボトムフラップに隣接する側の縁部を後退させてボトムフラップとの間隙を拡大し、この拡大された間隙に前記ウェブを形成したことを特徴としている。
【０００８】
ボトムフラップとサイドフラップが同一方向に延び出している場合、双方の縁部を単に接続しただけでは起函不能となる。本発明の場合、サイドフラップの縁部を後退させてボトムフラップとの間隙を拡大した上で、この拡大された間隙にウェブを形成しているから、起函時にウェブを内側にたくし込む形でサイドフラップとボトムフラップを両方とも折り曲げ、所定の箱形状を形成することができる。
【０００９】
（３）また本発明は、上記構成の食品用紙箱において、前記ウェブより上の位置に開封ラインが形成されていることを特徴としている。
【００１０】
この構成によると、紙箱を開封しても水の流出高さがウェブの高さより下がることがなく、ウェブの存在意義が薄れない。
【発明の効果】
【００１１】
本発明によると、内容物から出た水が外に漏れない食品用紙箱を形成でき、冷凍食品を入れたまま電子レンジで加熱できる食品用紙箱として好適するものとなる。また、この紙箱の形成はブランクシートの形状を少し改変するだけで事足りるから、包装機械の大幅な改造を必要とせず、コストアップを伴うことなく発明を実施することができる。
【発明を実施するための最良の形態】
【００１２】
以下、本発明の一実施形態を図１〜４に基づき説明する。図１〜３は食品用紙箱の斜視図にして、図１は密封状態、図２は開封状態、図３は開封状態にした上で一方の側面のフラップを開け放った状態を示す。図４はブランクシートの展開図である。
【００１３】
図１の食品用紙箱１は、図４に示すブランクシート１０を起函し、ホットエアー、ホットメルト接着剤、コールドグルー接着剤などで所定箇所をのり付けして形成される。ブランクシート１０は、冷凍食品を入れたまま電子レンジで加熱する食品用紙箱に求められる、耐水性、耐油性、耐熱性、撥水性などの素材特性を備えた印刷済み紙シートを所定の形状に打ち抜き、折り線（点線で表す）や開封用のジッパーあるいはハーフカット線（破線で表す）を入れて形成されるものであり、次の部分からなる。
【００１４】
まずボトム部１１がある。ボトム部１１は矩形であり、その両長辺には同じく矩形のサイド部１２、１３が連設されている。サイド部１２は食品用紙箱１の正面となり、サイド部１３は食品用紙箱１の背面となる。サイド部１３のボトム部１１から離れた側の長辺にはトップ部１４が連設されている。
【００１５】
ボトム部１１の両短辺にはボトムフラップ１５Ｌ、１５Ｒが連設される。同様にサイド部１２の両短辺にはサイドフラップ１６Ｌ、１６Ｒが連設され、サイド部１３の両短辺にはサイドフラップ１７Ｌ、１７Ｒが連設され、トップ部の両短辺にはトップフラップ１８Ｌ、１８Ｒが連設されている。トップ部１４のサイド部１３から離れた側の長辺にはフロントフラップ１９が連設されている。ボトムフラップ１５Ｌ、サイドフラップ１６Ｌ、１７Ｌ、及びトップフラップ１８Ｌは図４においていずれも左の方向に延び出し、ボトムフラップ１５Ｒ、サイドフラップ１６Ｒ、１７Ｒ、及びトップフラップ１８Ｒは図４においていずれも右の方向に延出す。フロントフラップ１９のみ、他のフラップと直交する方向に、すなわち図４において上方向に延び出している。
【００１６】
トップ部１４からフロントフラップ１９にかけ、ジッパー加工や紙の厚さの半ばまで刃を入れるハーフカット加工により開封ライン２０が形成されている。またサイド部１２にも開封ライン２０と連携する開封ライン２１が形成されている。開封ライン２０、２１を破断すると、サイド部１３とつながった開閉自在なリッド部２２（図２参照）が形成される。
【００１７】
上記ブランクシート１０において、ボトム部１１に対しサイド部１２を折り曲げ、サイド部１３に対しトップ部１４を折り曲げ、フロントフラップ１９をサイド部１２の外側に重ねた上で、フロントフラップ１９の内面とサイド部１２の外面をのり付けしてサック貼りを行い、このサック貼りされたブランクシート１０を起函すると断面矩形の筒形胴部が形成される。この胴部の中に冷凍食品を入れて胴部両端の開口部を密封すれば、内容物入り食品用紙箱１の完成形態となる。
【００１８】
上記筒形胴部の密封手順は次の通りである。まずサイドフラップ１６Ｌ、１６Ｒ、１７Ｌ、１７Ｒを内側に折り込む。その外側にボトムフラップ１５Ｌ、１５Ｒを立てる。さらにその外側にトップフラップ１８Ｌ、１８Ｒを折り重ね、ボトムフラップ１５Ｌ、１５Ｒの外面とトップフラップ１８Ｌ、１８Ｒの内面をのり付けする。これにより、筒形胴部の密封、ひいては食品用紙箱１の形成は完了する。
【００１９】
食品用紙箱１は、開封ライン２０、２１の箇所を破断して内部を露出させることができる（図２参照）。電子レンジによる加熱は、このように一旦開封した後、リッド部２２を再び閉じておいて行う。リッド部２２を閉じるのは蒸気を閉じこめて蒸らし効果を生じさせるためである。
【００２０】
本発明の特徴とするところは、ボトムフラップ１５Ｌとサイドフラップ１６Ｌ、１７Ｌとの間、またボトムフラップ１５Ｒとサイドフラップ１６Ｒ、１７Ｒとの間に、ボトムフラップとサイドフラップの間隙を塞ぎ、且つ縁部がボトム部１１より所定距離隔たっているウェブ３０を形成した点にある。
【００２１】
ウェブ３０を設けるため、サイドフラップ１６Ｌ、１７Ｌ、１６Ｒ、１７Ｒの縁部のうち、ボトムフラップ１５Ｌ、１５Ｒに隣接する側の縁部を後退させてボトムフラップとの間隙を拡大する。この拡大された間隙にウェブ３０を形成する。形成されたウェブ３０は、ボトム１１とサイド部１２のコーナー部集合地点、またボトム部１１とサイド部１３のコーナー部集合地点を扇の要とする扇形をしている。ウェブ３０とボトムフラップ１５Ｌ、１５Ｒとの境界、またウェブ３０とサイドフラップ１６Ｌ、１７Ｌ、１６Ｒ、１７Ｒとの境界にはそれぞれ折り線が形成されている。
【００２２】
前述のように筒形の胴部を形成した上でサイドフラップ１６Ｌ、１６Ｒ、１７Ｌ、１７Ｒを内側に折り込み、その外側にボトムフラップ１５Ｌ、１５Ｒを立てると、サイドフラップ１６Ｌ、１６Ｒ、１７Ｌ、１７Ｒとボトムフラップ１５Ｌ、１５Ｒとの間にウェブ３０がたくし込まれる。図１、２には、たくし込まれたウェブ３０の形状が点線で示されている。
【００２３】
ウェブ３０は、通常であれば隙間となるべきボトムフラップとサイドフラップの間を塞ぎ、ボトム部１１からのウェブ３０の立ち上がりの高さ分の水漏れ防止障壁を形成する。このため内容物から水が出たとしても、それを外部に漏らすことなく食品用紙箱１の内部に留めることができる。
【００２４】
開封ライン２０、２１はウェブ３０より上の位置にある。そのため、開封ライン２０、２１を破断してリッド部２２を開いたとしても、後に残る開口部の縁の高さはウェブ３０より上であり、水の流出高さがウェブ３０の高さより下がることはない。従ってウェブ３０の存在意義が薄れることはない。
【００２５】
以上本発明の一実施形態につき説明したが、この他、発明の主旨から逸脱しない範囲で種々の改変を加えて実施することができる。
【産業上の利用可能性】
【００２６】
本発明は冷凍食品用の紙箱、特に内容物を入れたまま電子レンジに入れて加熱できるタイプの紙箱に広く利用可能である。
【図面の簡単な説明】
【００２７】
【図１】密封状態の食品用紙箱の斜視図
【図２】開封状態の食品用紙箱の斜視図
【図３】開封状態且つ一方の側面のフラップを開け放った状態の斜視図
【図４】ブランクシートの展開図
【符号の説明】
【００２８】
１    食品用紙箱
１０  ブランクシート
１１  ボトム部
１２、１３  サイド部
１４  トップ部
１５Ｌ、１５Ｒ  ボトムフラップ
１６Ｌ、１６Ｒ、１７Ｌ、１７Ｒ  サイドフラップ
１８Ｌ、１８Ｒ  トップフラップ
２０、２１  開封ライン
３０  ウェブ
【図１】
2007099297.tif 000003
【図２】
2007099297.tif 000004
【図３】
2007099297.tif 000005
【図４】
2007099297.tif 000006